(57)【要約】【課題】店が食材を効率的に販売すると共に、ユーザが食材を短時間かつ低価格で購入できるクッキングサポートシステムを提供する。【解決手段】サーバ７ａによりメニュー情報及びレシピ情報に対応した食材の価格の見積情報が食材販売店毎に生成されてインターネットＮＷを介してパソコン６ｂに提供され、また、情報端末８ａは、ユーザ６により食材情報が入力されたとき、食材販売店８内における同食材情報に対応する食材の場所情報を表示部８ｃに表示する。このため、ユーザ６が食材を短時間かつ低価格で購入できると共に、食材販売店８が食材を効率的に販売することができる。また、ＨＣ１０ａが設けられ、かつ情報端末８ａに決済部８ｆが設けられているので、ユーザ６から代金支払いのための決済情報が入力されたとき、同ユーザ６に代わって決済が行われ、同ユーザ６は決済の手間を省くことができる。【選択図】図２
2005084922.tif 000002
【特許請求の範囲】
【請求項１】
料理の品目に関する品目情報及び該料理の調理法に関する調理法情報が蓄積されたデータベースを有し、前記品目情報及び調理法情報を通信回線を介して提供する情報提供端末と、
食材を扱う食材販売店の営業内容を知らせるための販売店情報及び該販売店が扱う食材の品目を列挙した食材情報が蓄積されたデータベースを有し、前記販売店情報及び食材情報を前記通信回線を介して提供する販売店端末と、
前記品目情報、調理法情報、販売店情報及び食材情報を前記通信回線を介して利用するユーザ端末とを備えてなるクッキングサポートシステムであって、
前記情報提供端末から前記品目情報及び調理法情報を前記通信回線を介して受信すると共に、前記販売店端末から前記販売店情報及び食材情報を前記通信回線を介して受信し、前記食材情報に基づいて前記品目情報及び調理法情報に対応した食材の価格の見積情報及び該見積情報に対応した前記食材情報を前記食材販売店毎に生成して前記通信回線を介して前記ユーザ端末に提供する販売支援端末が設けられていることを特徴とするクッキングサポートシステム。
【請求項２】
前記ユーザ端末は、
前記食材販売店毎の前記見積情報及び該見積情報に対応した前記食材情報を前記通信回線を介して受信する構成とされ、
前記販売店端末は、
当該食材販売店に対応した前記食材情報が入力されたとき、当該の食材の陳列場所を表示する構成とされていることを特徴とする請求項１記載のクッキングサポートシステム。
【請求項３】
前記販売支援端末は、
前記品目情報及び調理法情報に基づいて第１のリストを生成すると共に前記販売店情報及び食材情報に基づいて第２のリストを生成するリスト生成手段と、
前記ユーザ端末からの検索要求に基づいて前記第１のリストを検索して所望の品目情報及び調理法情報を選択する検索手段と、
選択された前記品目情報及び調理法情報に対応した食材の価格の見積情報を前記第２のリストに基づいて前記食材販売店毎に生成する見積手段とを備え、
前記販売店端末は、
当該食材販売店に対応した前記食材情報を入力する入力手段と、
該入力部に前記食材情報が入力されたとき、該食材情報に対応する食材の陳列場所を表示する表示手段とを備えてなることを特徴とする請求項１又は２記載のクッキングサポートシステム。
【請求項４】
前記販売店端末は、
前記食材に対する代金支払いのための決済情報が入力されたとき、該食材を販売したことを表す販売情報を前記通信回線へ送出する決済手段が設けられ、
前記販売情報を前記通信回線を介して受信したとき、当該の食材販売店に対して決済を行う決済用端末が設けられていることを特徴とする請求項１、２又は３記載のクッキングサポートシステム。
【請求項５】
料理の品目に関する品目情報及び該料理の調理法に関する調理法情報が蓄積されたデータベースを有し、前記品目情報及び調理法情報を通信回線を介して提供する情報提供端末と、
食材を扱う食材販売店の営業内容を知らせるための販売店情報及び該販売店が扱う食材の品目を列挙した食材情報が蓄積されたデータベースを有し、前記販売店情報及び食材情報を前記通信回線を介して提供する販売店端末と、
前記品目情報、調理法情報、販売店情報及び食材情報を前記通信回線を介して利用するユーザ端末とを備えてなるクッキングサポートシステムに用いられ、前記食材販売店における前記食材の販売を支援する販売支援方法であって、
販売支援端末を設けておき、該販売支援端末が、
前記情報提供端末から前記品目情報及び調理法情報を前記通信回線を介して受信して第１のリストを生成する第１のリスト生成処理と、
前記販売店端末から前記販売店情報及び食材情報を前記通信回線を介して受信して第２のリストを生成する第２のリスト生成処理と、
前記食材情報に基づいて前記品目情報及び調理法情報に対応した食材の価格の見積情報及び該見積情報に対応した前記食材情報を前記食材販売店毎に生成して前記通信回線を介して前記ユーザ端末に提供する見積情報生成処理とを行うことを特徴とする販売支援方法。
【請求項６】
前記ユーザ端末が、前記食材販売店毎の前記見積情報及び該見積情報に対応した前記食材情報を前記通信回線を介して受信する受信処理と、
前記販売店端末が、当該食材販売店に対応した前記食材情報が入力されたとき、当該の食材の陳列場所を表示する場所表示処理とを行うことを特徴とする請求項５記載の販売支援方法。
【請求項７】
前記通信回線に決済用端末を接続し、かつ前記販売店端末に決済部を設けておき、
該決済部に前記食材に対する代金支払いのための決済情報が入力されたとき、該食材を販売したことを表す販売情報を前記通信回線へ送出する販売情報送出処理と、
前記決済用端末が前記販売情報を前記通信回線を介して受信したとき、当該の食材販売店に対して決済を行う決済処理とを行うことを特徴とする請求項５記載の販売支援方法。
【請求項８】
コンピュータに請求項１又は３記載のクッキングサポートシステムを制御させるための販売支援制御プログラム。
【発明の詳細な説明】
【技術分野】
【０００１】
この発明は、クッキングサポートシステム、該システムに用いられる販売支援方法及び販売支援制御プログラムに係り、特に、食材販売店及び食材を購入するユーザに便宜を図る場合に用いて好適なクッキングサポートシステム、該システムに用いられる販売支援方法及び販売支援制御プログラムに関する。
【背景技術】
【０００２】
料理の品目に関するメニュー情報や料理の調理法に関するレシピ情報は、従来から各種情報誌や新聞などに記載して顧客に提供されている。ところが、近年では、パソコンや携帯電話機が普及しているため、これらの情報をインターネットなどの通信回線を介して顧客に配信するためのクッキングサポートシステムが用いられることも多くなっている。
【０００３】
この種のクッキングサポートシステムでは、従来では、たとえば図３に示すように、ユーザ１は、メニュー情報及びレシピ情報を書店２の情報誌２ａから取得する他、同ユーザ１の所有する携帯情報端末１ａやパーソナルコンピュータ（パソコン）１ｂを使用してインターネットＮＷ上から取得する。インターネットＮＷ上のこれらの情報は、レストラン３のパソコン３ａなどからＨＰ（ホームページ）として掲載されている。そして、ユーザ１は、これらの情報に基づいて必要な食材をリスト化する。この後、ユーザ１は、必要な食材を購入するための販売店情報と食材情報をたとえば新聞４の広告４ａから取得する他、携帯情報端末１ａ又はパソコン１ｂを使用してインターネットＮＷ上から取得する。インターネットＮＷ上のこれらの情報は、食材販売店５のサーバ５ａからＨＰとして掲載されている。ユーザ１は、リスト化した食材を食材販売店５から購入する。
【０００４】
上記のクッキングサポートシステムの他、従来、この種の技術としては、たとえば、次のような文献に記載されるものがあった。
特許文献１に記載された料理検索システムでは、携帯電話機などの端末装置がインターネットに接続され、メニュー情報、レシピ情報、販売店情報、食材情報が取得される。
【０００５】
特許文献２又は特許文献３に記載されたクッキング情報提供システムでは、クライアントが、クッキングサイトにおいて料理の種類を特定すると、この特定された料理に必要な食材の品目名、単価、所定人数分の数量、及び単価と数量とを掛け合わせた価格が表示される。
【０００６】
特許文献４に記載された献立作成アプリケーションサービス提供システムでは、ユーザに献立の候補とその献立に必要な食材の情報の一覧が食材販売店毎の価格と共に提示される。
【０００７】
特許文献５に記載された買い物支援システムでは、顧客は、献立名から段階的に所望の食品名を選択し、同食品名が示す食品の置き場所を知ることができる。このため、食品の置き場所を知るまでの時間が短縮される。
【特許文献１】特開２０００−２９３５３０号公報（要約書、図２）
【特許文献２】特開２００２−０８３１８７号公報（第８頁、図２）
【特許文献３】特開２００２−１３３２１８号公報（第６頁、図２）
【特許文献４】特開２００２−２８８３６１号公報（要約書、図１）
【特許文献５】特開平１１−１７５６３１号公報（第１頁、図６）
【発明の開示】
【発明が解決しようとする課題】
【０００８】
しかしながら、上記従来のクッキングサポートシステムでは、次のような問題点があった。
すなわち、図３のシステムでは、ユーザ１は、数種類のレシピ情報に対応した食材情報や食材価格情報をまとめて得ることができないという問題点がある他、必要な食材をどの店舗で安く購入できるかを表す店舗情報や、必要な食材が店舗内のどの場所で入手できるかを表す陳列場所情報も得られないという問題点がある。このため、店が食材を効率的に販売することや、ユーザが食材を短時間かつ低価格で購入することも困難になるという問題点がある。
【０００９】
また、特許文献１乃至特許文献４に記載された各システムでは、ユーザは、食材を安く購入するために、店舗毎の食材合計価格を比較しなければならないので、上記と同様の問題点がある。また、特許文献５に記載された買い物支援システムでは、ユーザは食品の置き場所を知ることができるため、上記陳列場所情報は得られるが、上記食材情報、食材価格情報及び店舗情報が得られないという問題点がある。
【課題を解決するための手段】
【００１０】
上記課題を解決するために、請求項１記載の発明は、料理の品目に関する品目情報及び該料理の調理法に関する調理法情報が蓄積されたデータベースを有し、前記品目情報及び調理法情報を通信回線を介して提供する情報提供端末と、食材を扱う食材販売店の営業内容を知らせるための販売店情報及び該販売店が扱う食材の品目を列挙した食材情報が蓄積されたデータベースを有し、前記販売店情報及び食材情報を前記通信回線を介して提供する販売店端末と、前記品目情報、調理法情報、販売店情報及び食材情報を前記通信回線を介して利用するユーザ端末とを備えてなるクッキングサポートシステムに係り、前記情報提供端末から前記品目情報及び調理法情報を前記通信回線を介して受信すると共に、前記販売店端末から前記販売店情報及び食材情報を前記通信回線を介して受信し、前記食材情報に基づいて前記品目情報及び調理法情報に対応した食材の価格の見積情報及び該見積情報に対応した前記食材情報を前記食材販売店毎に生成して前記通信回線を介して前記ユーザ端末に提供する販売支援端末が設けられていることを特徴としている。
【００１１】
請求項２記載の発明は、請求項１記載のクッキングサポートシステムに係り、前記ユーザ端末は、前記食材販売店毎の前記見積情報及び該見積情報に対応した前記食材情報を前記通信回線を介して受信する構成とされ、前記販売店端末は、当該食材販売店に対応した前記食材情報が入力されたとき、当該の食材の陳列場所を表示する構成とされていることを特徴としている。
【００１２】
請求項３記載の発明は、請求項１又は２記載のクッキングサポートシステムに係り、前記販売支援端末は、前記品目情報及び調理法情報に基づいて第１のリストを生成すると共に前記販売店情報及び食材情報に基づいて第２のリストを生成するリスト生成手段と、前記ユーザ端末からの検索要求に基づいて前記第１のリストを検索して所望の品目情報及び調理法情報を選択する検索手段と、選択された前記品目情報及び調理法情報に対応した食材の価格の見積情報を前記第２のリストに基づいて前記食材販売店毎に生成する見積手段とを備え、前記販売店端末は、当該食材販売店に対応した前記食材情報を入力する入力手段と、該入力部に前記食材情報が入力されたとき、該食材情報に対応する食材の陳列場所を表示する表示手段とを備えてなることを特徴としている。
【００１３】
請求項４記載の発明は、請求項１、２又は３記載のクッキングサポートシステムに係り、前記販売店端末は、前記食材に対する代金支払いのための決済情報が入力されたとき、該食材を販売したことを表す販売情報を前記通信回線へ送出する決済手段が設けられ、前記販売情報を前記通信回線を介して受信したとき、当該の食材販売店に対して決済を行う決済用端末が設けられていることを特徴としている。
【００１４】
請求項５記載の発明は、料理の品目に関する品目情報及び該料理の調理法に関する調理法情報が蓄積されたデータベースを有し、前記品目情報及び調理法情報を通信回線を介して提供する情報提供端末と、食材を扱う食材販売店の営業内容を知らせるための販売店情報及び該販売店が扱う食材の品目を列挙した食材情報が蓄積されたデータベースを有し、前記販売店情報及び食材情報を前記通信回線を介して提供する販売店端末と、前記品目情報、調理法情報、販売店情報及び食材情報を前記通信回線を介して利用するユーザ端末とを備えてなるクッキングサポートシステムに用いられ、前記食材販売店における前記食材の販売を支援する販売支援方法に係り、販売支援端末を設けておき、該販売支援端末が、前記情報提供端末から前記品目情報及び調理法情報を前記通信回線を介して受信して第１のリストを生成する第１のリスト生成処理と、前記販売店端末から前記販売店情報及び食材情報を前記通信回線を介して受信して第２のリストを生成する第２のリスト生成処理と、前記食材情報に基づいて前記品目情報及び調理法情報に対応した食材の価格の見積情報及び該見積情報に対応した前記食材情報を前記食材販売店毎に生成して前記通信回線を介して前記ユーザ端末に提供する見積情報生成処理とを行うことを特徴としている。
【００１５】
請求項６記載の発明は、請求項５記載の販売支援方法に係り、前記ユーザ端末が、前記食材販売店毎の前記見積情報及び該見積情報に対応した前記食材情報を前記通信回線を介して受信する受信処理と、前記販売店端末が、当該食材販売店に対応した前記食材情報が入力されたとき、当該の食材の陳列場所を表示する場所表示処理とを行うことを特徴としている。
【００１６】
請求項７記載の発明は、請求項５記載の販売支援方法に係り、前記通信回線に決済用端末を接続し、かつ前記販売店端末に決済部を設けておき、該決済部に前記食材に対する代金支払いのための決済情報が入力されたとき、該食材を販売したことを表す販売情報を前記通信回線へ送出する販売情報送出処理と、前記決済用端末が前記販売情報を前記通信回線を介して受信したとき、当該の食材販売店に対して決済を行う決済処理とを行うことを特徴としている。
【００１７】
請求項８記載の発明は、販売支援制御プログラムに係り、コンピュータに請求項１又は３記載のクッキングサポートシステムを制御させることを特徴としている。
【発明の効果】
【００１８】
この発明の構成によれば、販売支援端末により、品目情報及び調理法情報に対応した食材の価格の見積情報が食材販売店毎に生成されて通信回線を介してユーザ端末に送出され、また、販売店端末は、ユーザにより食材情報が入力されたとき、食材販売店内における同食材情報に対応する食材の陳列場所を表示するので、ユーザが食材を短時間かつ低価格で購入できると共に、食材販売店が食材を効率的に販売することができる。このため、ユーザに対して食材購入の便宜を図ることができると共に、食材販売店に対して販売促進の支援を行うことができる。また、決済用端末が設けられ、かつ販売店端末に決済手段が設けられているので、ユーザから代金支払いのための決済情報が入力されたとき、同ユーザの代わりに決済が行われ、同ユーザは決済の手間を省くことができる。
【発明を実施するための最良の形態】
【００１９】
品目情報及び調理法情報に対応した食材の価格の見積情報を食材販売店毎に生成して通信回線を介してユーザ端末に提供する販売支援端末を設ける。
【実施例】
【００２０】
図１は、この発明の実施例であるクッキングサポートシステムの電気的構成を示す図である。
この例のクッキングサポートシステムは、同図に示すように、ユーザ６が所有する携帯情報端末６ａ及びパソコン（ＰＣ）６ｂと、クッキングサポートサービス（情報サービス業）７が所有するサーバ７ａと、食材販売店８が所有する情報端末８ａ、サーバ８ｂ及びデータベース（ＤＢ）８ｊと、レストラン９が所有するパソコン（ＰＣ）９ａ及びデータベース（ＤＢ）９ｂと、銀行１０が所有するホストコンピュータ（ＨＣ）１０ａとから構成され、同携帯情報端末６ａ、パソコン６ｂ、サーバ７ａ、サーバ８ｂ、パソコン９ａ及びＨＣ１０ａがインターネットＮＷに接続されている。
【００２１】
レストラン９のデータベース９ｂは、料理の品目に関するメニュー情報（品目情報）及び料理の調理法に関するレシピ情報（調理法情報）が蓄積され、パソコン９ａは、同メニュー情報及び同レシピ情報をインターネットＮＷを介して提供する。情報端末８ａは、表示部８ｃと、入力部８ｄと、通信部８ｅと、決済部８ｆとから構成されている。入力部８ｄは、携帯情報端末６ａと接続するための多機能コネクタや図示しないキースイッチなどで構成され、ユーザ６による操作に基づいて当該食材販売店に対応した食材情報を入力する。表示部８ｃは、たとえば液晶パネルなどで構成され、入力部８ｄに食材情報が入力されたとき、同食材情報に対応する食材の陳列場所を表す場所情報を表示する他、同食材に関する広告情報を表示する。
【００２２】
決済部８ｆは、食材に対する代金支払いのための決済情報が入力されたとき、同食材を販売したことを表す販売情報をサーバ８ｂを介してインターネットＮＷへ送出する。通信部８ｅは、当該の情報端末８ａサーバ８ｂとを有線又は無線接続する。データベース８ｊは、料理の食材を扱う食材販売店の営業内容を知らせるための販売店情報及び同食材販売店が扱う食材の品目を列挙した食材情報が蓄積されている。サーバ８ｂは、食材販売店８に設置されているコンピュータなどの情報処理装置であり、同サーバ８ｂ全体を制御するＣＰＵ（中央処理装置）８ｇ及び同ＣＰＵ８ｇを動作させるための制御プログラムが記録されたＲＯＭ（リード・オンリ・メモリ）８ｈを有し、データベース８ｊから上記販売店情報及び食材情報をインターネットＮＷに送出すると共に、決済部８ｆからの販売情報をインターネットＮＷへ送出する。また、サーバ８ｂは、上記場所情報及び広告情報を情報端末８ａへ送出する。
【００２３】
サーバ７ａは、クッキングサポートサービス７に設置されているコンピュータなどの情報処理装置であり、ＣＰＵ７ｂと、ＲＯＭ７ｃと、リスト部７ｄと、検索部７ｅと、見積部７ｆとから構成されている。ＣＰＵ７ｂは、サーバ７ａ全体を制御する。ＲＯＭ７ｃは、ＣＰＵ７ｂを動作させるための販売支援制御プログラムが記録されている。リスト部７ｄは、パソコン９ａからメニュー情報及びレシピ情報をインターネットＮＷを介して受信して第１のリストを生成すると共に、サーバ８ｂから販売店情報及び食材情報をインターネットＮＷを介して受信して第２のリストを生成する。検索部７ｅは、携帯情報端末６ａ又はパソコン６ｂからの検索要求に基づいて上記第１のリストを検索して所望のメニュー情報及びレシピ情報を選択する。見積部７ｆは、選択された上記メニュー情報及びレシピ情報に対応した食材の価格の見積情報を上記第２のリストに基づいて食材販売店毎に生成し、インターネットＮＷを介して携帯情報端末６ａ又はパソコン６ｂに送出する。
【００２４】
携帯情報端末６ａ又はパソコン６ｂは、メニュー情報、レシピ情報、販売店情報及び食材情報をインターネットＮＷを介して受信し、特に、この実施形態では、食材販売店毎の見積情報及び同見積情報に対応した食材情報をサーバ７ａからインターネットＮＷを介して利用する。ＨＣ１０ａは、食材販売店８に対して決済を行うための手続きが予め行われ、サーバ８ｂから上記販売情報をインターネットＮＷを介して受信したとき、当該の食材販売店に対して決済を行う。
【００２５】
図２は、図１のクッキングサポートシステムの動作を説明するシーケンス図である。
この図を参照して、この例のクッキングサポートシステムに用いられる販売支援方法の処理内容について説明する。
パソコン（ＰＣ）９ａから送出されているメニュー情報及びレシピ情報は、インターネットＮＷを介してサーバ７ａで受信され、第１のリストが生成される（ステップＡ１、第１のリスト生成処理）。また、サーバ８ｂから送出されている販売店情報及び食材情報は、インターネットＮＷを介してサーバ７ａで受信され、第２のリストが生成される（ステップＡ２、第２のリスト生成処理）。
【００２６】
ユーザ６は、パソコン６ｂをインターネットＮＷを介してサーバ７ａに接続し、同サーバ７ａの検索部７ｅを使用してメニュー情報を検索する（ステップＡ３）。そして、希望のメニュー情報に対応したレシピ情報がインターネットＮＷを介してパソコン６ｂへ提供される。ユーザ６は所望のレシピ情報を選び、同レシピ情報に必要な食材を食材情報としてリスト化する要求がパソコン６ｂからサーバ７ａに送出され、リスト生成部７ｄで食材情報がリスト化されると共に、見積部７ｆで同食材情報に基づいてメニュー情報及びレシピ情報に対応した食材の価格の見積情報が食材販売店毎に生成されてインターネットＮＷを介してパソコン６ｂに送出される（ステップＡ５、見積情報生成処理）。食材販売店毎の見積情報及び同見積情報に対応した食材情報は、パソコン６ｂで受信され（ステップＡ６、受信処理）、携帯情報端末６ａに転送されて取り込まれる（ステップＡ７）。
【００２７】
この後、ユーザ６は、食材販売店８に出向いて携帯情報端末６ａを情報端末８ａに接続し、所望の食材情報を同携帯情報端末６ａの図示しない表示部に表示して内容を確認した後、送信する。情報端末８ａでは、携帯情報端末６ａから食材販売店８に対応した食材情報が入力されたとき、当該の食材の陳列場所が表示部８ｃに表示される（ステップＡ８、場所表示処理）。ユーザ６は、食材の陳列場所を認識する。また、ユーザ６が入力部８ｄを操作して他の食材情報が入力されたとき（ステップＡ９）、当該の食材の陳列場所が表示部８ｃに表示される（ステップＡ１０、場所表示処理）。
【００２８】
ユーザ６が食材を購入し、携帯情報端末６ａから食材に対する代金支払いのための決済情報が情報端末８ａの決済部８ｆに入力されたとき、同決済部８ｆから同食材を販売したことを表す販売情報が送出され（ステップＡ１１、販売情報送出処理）、サーバ８ｂからインターネットＮＷを介してＨＣ１０ａへ転送される（ステップＡ１２）。販売情報は、インターネットＮＷを介してＨＣ１０ａで受信され、同ＨＣ１０ａで食材販売店８に対して決済が行われる（ステップＡ１３、決済処理）。
【００２９】
以上のように、この実施例では、クッキングサポートサービス７のサーバ７ａにより、メニュー情報及びレシピ情報に対応した食材の価格の見積情報が食材販売店毎に生成されてインターネットＮＷを介してユーザ６のパソコン６ｂに提供され、また、情報端末８ａは、ユーザ６により食材情報が入力されたとき、食材販売店８内における同食材情報に対応する食材の場所情報を表示部８ｃに表示するので、ユーザ６が食材を短時間かつ低価格で購入できると共に、食材販売店８が食材を効率的に販売することができる。このため、ユーザ６に対して食材購入の便宜を図ることができると共に、食材販売店８に対して販売促進の支援を行うことができる。また、ＨＣ１０ａが設けられ、かつ情報端末８ａに決済部８ｆが設けられているので、ユーザ６から代金支払いのための決済情報が入力されたとき、同ユーザ６の代わりに決済が行われ、同ユーザ６は決済の手間を省くことができる。
【産業上の利用可能性】
【００３０】
以上、この発明の実施例を図面により詳述してきたが、具体的な構成はこの実施例に限られるものではなく、この発明の要旨を逸脱しない範囲の設計の変更などがあっても、この発明に含まれる。
たとえば、上記実施形態では、ユーザ６のパソコン６ｂを用いずに、携帯情報端末６ａのみを用いても良い。また、ユーザ６が食材販売店８に出向いたとき、携帯情報端末６ａを情報端末８ａに接続せずに、入力部８ｄを操作して食材情報を入力するようにしても良い。また、レストラン９が所有するパソコン（ＰＣ）９ａは、たとえば、料理学校や料理研究家などが所有するものであっても良い。また、ユーザ６が所有する携帯情報端末６ａは、たとえば携帯電話機などでも良い。また、データベース８ｊに蓄積されている販売店情報は、食材販売店８の営業内容を知らせるものに限らず、たとえば支店や系列店を表す情報が含まれていても良い。
【図面の簡単な説明】
【００３１】
【図１】この発明の実施例であるクッキングサポートシステムの電気的構成を示す図である。
【図２】図１のクッキングサポートシステムの動作を説明するシーケンス図である。
【図３】従来のクッキングサポートシステムの電気的構成を示す図である。
【符号の説明】
【００３２】
６ａ      携帯情報端末（ユーザ端末）
６ｂ      パーソナルコンピュータ（ユーザ端末）
７ａ      サーバ（販売支援端末）
７ｂ      ＣＰＵ（中央処理装置、コンピュータ）
７ｃ      ＲＯＭ（リード・オンリ・メモリ）
７ｄ      リスト部（リスト生成手段）
７ｅ      検索部（検索手段）
７ｆ      見積部（見積手段）
８ａ      情報端末（販売店端末）
８ｂ      サーバ（販売店端末）
８ｃ      表示部（表示手段）
８ｄ      入力部（入力手段）
８ｆ      決済部（決済手段）
８ｊ      データベース（ＤＢ）
９ａ      パーソナルコンピュータ（情報提供端末）
９ｂ      データベース（ＤＢ）
１０ａ      ＨＣ（ホストコンピュータ、決済用端末）
ＮＷ      インターネット（通信回線）
【図１】
2005084922.tif 000003
【図２】
2005084922.tif 000004
【図３】
2005084922.tif 000005